【手続補正書】
【提出日】平成30年1月17日(2018.1.17)
【手続補正１】
【補正対象書類名】特許請求の範囲
【補正対象項目名】全文
【補正方法】変更
【補正の内容】
【特許請求の範囲】
【請求項１】
モバイル機器における位置サービスをサポートするための方法であって、
位置サーバから第１のメッセージを受信することと、ここにおいて、前記第１のメッセージが第１の位置調整及び第２の位置調整の組み合わされた要求を備え、
前記第１のメッセージに応答して前記位置サーバへ前記第１の位置調整に関する第１の位置パラメータを備える第２のメッセージを送信することと、
前記第１のメッセージに応答して前記位置サーバへ前記第２の位置調整に関する第２の位置パラメータを備える第３のメッセージを送信することと
を備える方法。
【請求項２】
前記位置サーバが緊急セキュアユーザプレーン位置（ＳＵＰＬ）位置プラットフォーム（Ｅ−ＳＬＰ）を備えること、及び前記位置サーバが強化型サービングモバイルロケーションセンタ（Ｅ−ＳＭＬＣ）を備えることの少なくとも一方である、請求項１に記載の方法。
【請求項３】
前記第１のメッセージ、前記第２のメッセージ及び前記第３のメッセージが第３世代パートナーシッププロジェクト（３ＧＰＰ）ロングタームエボリューション（ＬＴＥ）測位プロトコル（ＬＰＰ）に従って送信され、前記第１のメッセージ、前記第２のメッセージ及び前記第３のメッセージが同じＬＰＰトランザクションにおいて選好的に送信される、請求項１に記載の方法。
【請求項４】
前記第１の位置調整についての前記要求が前記第１の位置調整に関する応答時間を備える、請求項１に記載の方法。
【請求項５】
前記第１の位置パラメータが前記モバイル機器の推定位置又は前記モバイル機器の位置を示す測定値若しくはそれらの組合せを備えること、及び前記第２の位置パラメータが前記モバイル機器の推定位置又は前記モバイル機器の位置を示す測定値若しくはそれらの組合せを備えることの少なくとも一方である、請求項１に記載の方法。
【請求項６】
位置サービスをサポートするためのモバイル機器であって、
位置サーバから第１のメッセージを受信するための手段と、ここにおいて、前記第１のメッセージが第１の位置調整及び第２の位置調整の組み合わされた要求を備え、
前記第１のメッセージに応答して前記位置サーバへ前記第１の位置調整に関する第１の位置パラメータを備える第２のメッセージを送信するための手段と、
前記第１のメッセージに応答して前記位置サーバへ前記第２の位置調整に関する第２の位置パラメータを備える第３のメッセージを送信するための手段と
を備えるモバイル機器。
【請求項７】
１つ以上の緊急応答サービスをサポートするための位置サーバにおける方法であって、  位置要求を備えるモバイル機器へ第１のメッセージを送信することと、ここにおいて、前記第１のメッセージが第１の位置調整及び第２の位置調整の組み合わされた要求を備え、
前記モバイル機器から第２のメッセージを受信することと、前記第２のメッセージが前記第１の位置調整に関する第１の位置パラメータを備え、
前記モバイル機器から第３のメッセージを受信することと、前記第３のメッセージが前記第２の位置調整に関する第２の位置パラメータを備える、
を備える方法。
【請求項８】
１つ以上の緊急応答サービスをサポートするための位置サーバであって、
位置要求を備えるモバイル機器へ第１のメッセージを送信するための手段と、ここにおいて、前記第１のメッセージが第１の位置調整及び第２の位置調整の組み合わされた要求を備え、
前記第１のメッセージに応答して送信された前記モバイル機器からの第２のメッセージを受信するための手段と、前記第２のメッセージが前記第１の位置調整に関する第１の位置パラメータを備え、
前記第１のメッセージに応答して前記モバイル機器から送信された第３のメッセージを受信するための手段と、前記第３のメッセージが前記第２の位置調整に関する第２の位置パラメータを備える、
を備える位置サーバ。
【請求項９】
もう１つの緊急応答サービスをサポートするためのモビリティ管理エンティティ（ＭＭＥ）における方法であって、
ゲートウェイモバイル位置センタ（ＧＭＬＣ）から第１の位置要求メッセージを受信することと、前記第１の位置要求メッセージがモバイル機器の第１の位置パラメータについての要求を備え、
前記第１の位置要求メッセージに少なくとも部分的に基づいて、強化型サービングモバイルロケーションセンタ（Ｅ−ＳＭＬＣ）に第２の位置要求メッセージを送信することと、
前記ＧＭＬＣから第３の位置要求メッセージを受信することと、前記第３の位置要求メッセージが前記モバイル機器の第２の位置パラメータについての要求を備え、ここにおいて、前記第１及び第３の位置要求メッセージは組み合わされた要求であり、
前記第３の位置要求メッセージに少なくとも部分的に基づいて、前記Ｅ−ＳＭＬＣに第４の位置要求メッセージを送信することと、
前記第４の位置要求メッセージに応答して送信された前記Ｅ−ＳＭＬＣからの第１の位置応答メッセージを受信することと、ここにおいて、前記第１の位置応答メッセージが前記モバイル機器に関する早期位置調整の位置パラメータを備え、
前記ＧＭＬＣに前記早期位置調整を備える第２の位置応答メッセージを送信することと、前記早期位置調整が前記モバイル機器に関する前記早期位置調整の前記位置パラメータに少なくとも部分的に基づき、ここにおいて、前記第２の位置応答メッセージが前記第３の位置要求メッセージに応答して送信され、
前記第２の位置要求メッセージに応答して前記Ｅ−ＳＭＬＣから送信された第３の位置応答メッセージを受信することと、ここにおいて、前記第３の位置応答メッセージが前記モバイル機器に関する最終位置調整の位置パラメータを備え、
前記ＧＭＬＣに前記最終位置調整を備える第４の位置応答メッセージを送信することと、前記最終位置調整が前記最終位置調整の前記位置パラメータに少なくとも部分的に基づき、ここにおいて、前記第４の位置応答メッセージが前記第１の位置要求メッセージに応答して送信される、
を備える方法。
【請求項１０】
もう１つの緊急応答サービスをサポートするためのモビリティ管理エンティティ（ＭＭＥ）であって、
ゲートウェイモバイル位置センタ（ＧＭＬＣ）から第１の位置要求メッセージを受信するための手段と、前記第１の位置要求メッセージがモバイル機器の第１の位置パラメータについての要求を備え、
前記第１の位置要求メッセージに少なくとも部分的に基づいて、強化型サービングモバイルロケーションセンタ（Ｅ−ＳＭＬＣ）に第２の位置要求メッセージを送信するための手段と、
前記ＧＭＬＣから第３の位置要求メッセージを受信するための手段と、前記第３の位置要求メッセージが前記モバイル機器の第２の位置パラメータについての要求を備え、ここにおいて、前記第１及び第３の位置要求メッセージは組み合わされた要求であり、
前記第３の位置要求メッセージに少なくとも部分的に基づいて、前記Ｅ−ＳＭＬＣに第４の位置要求メッセージを送信するための手段と、
前記第４の位置要求メッセージに応答して送信された前記Ｅ−ＳＭＬＣからの第１の位置応答メッセージを受信するための手段と、ここにおいて、前記第１の位置応答メッセージが前記モバイル機器に関する早期位置調整の位置パラメータを備え、
前記ＧＭＬＣに前記早期位置調整を備える第２の位置応答メッセージを送信するための手段と、前記早期位置調整が前記モバイル機器に関する前記早期位置調整の前記位置パラメータに少なくとも部分的に基づき、ここにおいて、前記第２の位置応答メッセージが前記第３の位置要求メッセージに応答して送信され、
前記第２の位置要求メッセージに応答して前記Ｅ−ＳＭＬＣから送信された第３の位置応答メッセージを受信するための手段と、ここにおいて、前記第３の位置応答メッセージが前記モバイル機器に関する最終位置調整の位置パラメータを備え、
前記ＧＭＬＣに前記最終位置調整を備える第４の位置応答メッセージを送信するための手段と、前記最終位置調整が前記最終位置調整の前記位置パラメータに少なくとも部分的に基づき、ここにおいて、前記第４の位置応答メッセージが前記第１の位置要求メッセージに応答して送信される、
を備えるＭＭＥ。
【請求項１１】
モビリティ管理エンティティ（ＭＭＥ）においてモバイル機器の位置をサポートするための方法であって、
ゲートウェイモバイル位置センタ（ＧＭＬＣ）から第１の位置要求メッセージを受信することと、前記第１の位置要求メッセージが前記モバイル機器の第１の位置パラメータについての要求を備え、
強化型サービングモバイルロケーションセンタ（Ｅ−ＳＭＬＣ）に第２の位置要求メッセージを送信することと、
前記ＧＭＬＣから第３の位置要求メッセージを受信することと、前記第３の位置要求メッセージが前記モバイル機器の第２の位置パラメータについての要求を備え、ここにおいて、前記第１及び第３の位置要求メッセージは組み合わされた要求であり、
前記第３の位置要求メッセージに少なくとも部分的に基づいて、前記Ｅ−ＳＭＬＣに第４の位置要求メッセージを送信することと、
前記第４の位置要求メッセージに応答して前記Ｅ−ＳＭＬＣから送信された第１の位置応答メッセージを受信することと、ここにおいて、前記第１の位置応答メッセージが前記モバイル機器に関する早期位置調整の位置パラメータを備え、
前記ＧＭＬＣに前記早期位置調整を備える第２の位置応答メッセージを送信することと、前記早期位置調整が前記モバイル機器に関する前記早期位置調整の前記位置パラメータに少なくとも部分的に基づき、ここにおいて、前記第２の位置応答メッセージが前記第３の位置要求メッセージに応答して送信され、
前記第２の位置要求メッセージに応答して前記Ｅ−ＳＭＬＣから送信された第３の位置応答メッセージを受信することと、ここにおいて、前記第３の位置応答メッセージが前記モバイル機器に関する最終位置調整の位置パラメータを備え、
前記ＧＭＬＣに前記最終位置調整を備える第４の位置応答メッセージを送信することと、前記最終位置調整が前記最終位置調整の前記位置パラメータに少なくとも部分的に基づき、ここにおいて、前記第４の位置応答メッセージが前記第１の位置要求メッセージに応答して送信される、
を備える方法。
【請求項１２】
ゲートウェイモバイル位置センタ（ＧＭＬＣ）から第１の位置要求メッセージを受信するための手段と、前記第１の位置要求メッセージが前記第１の位置要求メッセージに少なくとも部分的に基づくモバイル機器の第１の位置パラメータについての要求を備え、
強化型サービングモバイルロケーションセンタ（Ｅ−ＳＭＬＣ）に第２の位置要求メッセージを送信するための手段と、
前記ＧＭＬＣから第３の位置要求メッセージを受信するための手段と、前記第３の位置要求メッセージが前記モバイル機器の第２の位置パラメータについての要求を備え、ここにおいて、前記第１及び第３の位置要求メッセージは組み合わされた要求であり、
前記第３の位置要求メッセージに少なくとも部分的に基づいて、前記Ｅ−ＳＭＬＣに第４の位置要求メッセージを送信するための手段と、
前記第４の位置要求メッセージに応答して前記Ｅ−ＳＭＬＣから送信された第１の位置応答メッセージを受信するための手段と、ここにおいて、前記第１の位置応答メッセージが前記モバイル機器に関する早期位置調整の位置パラメータを備え、
前記ＧＭＬＣに前記早期位置調整を備える第２の位置応答メッセージを送信するための手段と、前記早期位置調整が前記モバイル機器に関する前記早期位置調整の前記位置パラメータに少なくとも部分的に基づき、ここにおいて、前記第２の位置応答メッセージが前記第３の位置要求メッセージに応答して送信され、
前記第２の位置要求メッセージに応答して送信された前記Ｅ−ＳＭＬＣからの第３の位置応答メッセージを受信するための手段と、ここにおいて、前記第３の位置応答メッセージが前記モバイル機器に関する最終位置調整の位置パラメータを備え、
前記ＧＭＬＣに前記最終位置調整を備える第４の位置応答メッセージを送信するための手段と、前記最終位置調整が前記最終位置調整の前記位置パラメータに少なくとも部分的に基づき、ここにおいて、前記第４の位置応答メッセージが前記第１の位置要求メッセージに応答して送信される、
を備えるモビリティ管理エンティティ（ＭＭＥ）。
【請求項１３】
ゲートウェイモバイル位置センタ（ＧＭＬＣ）における方法であって、
緊急サービスに関連してモバイル機器の位置についての要求を受信することと、
モビリティ管理エンティティ（ＭＭＥ）に第１の位置要求メッセージを送信することと、前記第１の位置要求メッセージが前記モバイル機器の前記位置についての要求を備え、高い精度又は高い遅延に対する許容度若しくはそれらの組合せを指定し、
前記ＭＭＥに第２の位置要求メッセージを送信することと、前記第２の位置要求メッセージが前記モバイル機器の前記位置についての要求を備え、低い精度又は低い遅延若しくはそれらの組合せを指定し、ここにおいて、前記第１及び第２の位置要求メッセージは組み合わされた要求であり、
前記第２の位置要求メッセージに応答して前記ＭＭＥからの第１の位置応答メッセージを受信することと、前記第１の位置応答メッセージが前記モバイル機器に関する早期位置調整を備え、
前記第１の位置要求メッセージに応答して前記ＭＭＥからの第２の位置応答メッセージを受信することと、前記第２の位置応答メッセージが前記モバイル機器に関する最終位置調整を備える、
を備える方法。
【請求項１４】
記憶された機械可読命令を備える記憶媒体であって、前記機械可読命令は、１つ以上のプロセッサによって実行されると、
前記１つ以上のプロセッサに請求項１−５、７、９、１１、及び１３のいずれか一項の方法ステップを実行させる、記憶媒体。
【請求項１５】
緊急サービスに関連してモバイル機器の位置についての要求を受信するための手段と、  モビリティ管理エンティティ（ＭＭＥ）に第１の位置要求メッセージを送信するための手段と、前記第１の位置要求メッセージが前記モバイル機器の前記位置についての要求を備え、高い精度又は高い遅延に対する許容度若しくはそれらの組合せを指定し、
前記ＭＭＥに第２の位置要求メッセージを送信するための手段と、前記第２の位置要求メッセージが前記モバイル機器の前記位置についての要求を備え、低い精度又は低い遅延若しくはそれらの組合せを指定し、ここにおいて、前記第１及び第２の位置要求メッセージは組み合わされた要求であり、
前記第２の位置要求メッセージに応答して前記ＭＭＥからの第１の位置応答メッセージを受信するための手段と、前記第１の位置応答メッセージが前記モバイル機器に関する早期位置調整を備え、
前記第１の位置要求メッセージに応答して前記ＭＭＥからの第２の位置応答メッセージを受信するための手段と、前記第２の位置応答メッセージが前記モバイル機器に関する最終位置調整を備える、
を備えるゲートウェイモバイル位置センタ（ＧＭＬＣ）。
【手続補正２】
【補正対象書類名】明細書
【補正対象項目名】０１０１
【補正方法】変更
【補正の内容】
【０１０１】
[000119]現在考えられる例示的な特徴を図示及び説明したが、特許請求する主題から逸脱することなしに、様々な他の修正が行われてよく、また均等物の置換が可能であることは当業者によって理解されよう。更に、本明細書で説明した主要な概念から逸脱することなしに、特定の状況を特許請求する主題の教示に適応させるために、多くの修正が行われ得る。従って、特許請求する主題は、開示された特定の例に限定されず、そのような特許請求する主題はまた、添付の特許請求の範囲内に入る全ての態様とそれらの均等物とを含み得るものとする。
以下に、本願の出願当初の特許請求の範囲に記載された発明を付記する。
［Ｃ１］
モバイル機器における位置サービスをサポートするための方法であって、
位置サーバから第１のメッセージを受信することと、ここにおいて、前記第１のメッセージが早期位置調整についての要求を備え、
前記第１のメッセージに応答して前記位置サーバへ前記早期位置調整に関する第１の位置パラメータを備える第２のメッセージを送信することと、
前記第１のメッセージに応答して前記位置サーバへ最終位置調整に関する第２の位置パラメータを備える第３のメッセージを送信することと
を備える方法。
［Ｃ２］
前記位置サーバが緊急セキュアユーザプレーン位置（ＳＵＰＬ）位置プラットフォーム（Ｅ−ＳＬＰ）を備える、Ｃ１に記載の方法。
［Ｃ３］
前記位置サーバが強化型サービングモバイルロケーションセンタ（Ｅ−ＳＭＬＣ）を備える、Ｃ１に記載の方法。
［Ｃ４］
前記第１のメッセージ、前記第２のメッセージ及び前記第３のメッセージが第３世代パートナーシッププロジェクト（３ＧＰＰ）ロングタームエボリューション（ＬＴＥ）測位プロトコル（ＬＰＰ）に従って送信される、Ｃ１に記載の方法。
［Ｃ５］
前記第１のメッセージ、前記第２のメッセージ及び前記第３のメッセージが同じＬＰＰトランザクションにおいて送信される、Ｃ４に記載の方法。
［Ｃ６］
前記早期位置調整についての前記要求が前記早期位置調整に関する応答時間を備える、Ｃ１に記載の方法。
［Ｃ７］
前記第１の位置パラメータが、前記モバイル機器の推定位置又は前記モバイル機器の位置を示す測定値若しくはそれらの組合せを備える、Ｃ１に記載の方法。
［Ｃ８］
前記第２の位置パラメータが、前記モバイル機器の推定位置又は前記モバイル機器の位置を示す測定値若しくはそれらの組合せを備える、Ｃ１に記載の方法。
［Ｃ９］
位置サービスをサポートするためのモバイル機器であって、
通信ネットワークにメッセージをワイヤレス送信し、前記通信ネットワークからメッセージをワイヤレス受信するように構成されるトランシーバ機器と、
１つ以上のプロセッサと
を備え、前記１つ以上のプロセッサは、
位置サーバから前記トランシーバ機器において受信された第１のメッセージを取得することと、ここにおいて、前記第１のメッセージが早期位置調整についての要求を備え、  前記トランシーバ機器を通した第２のメッセージの送信を開始することと、前記第２のメッセージが、前記第１のメッセージに応答して前記位置サーバへの前記早期位置調整に関する第１の位置パラメータを備え、
前記トランシーバ機器を通した第３のメッセージの送信を開始することと、前記第３のメッセージが、前記第１のメッセージに応答して前記位置サーバへの最終位置調整に関する第２の位置パラメータを備える、
を行うように構成される、モバイル機器。
［Ｃ１０］
前記第１のメッセージ、前記第２のメッセージ及び前記第３のメッセージが第３世代パートナーシッププロジェクト（３ＧＰＰ）ロングタームエボリューション（ＬＴＥ）測位プロトコル（ＬＰＰ）に従って送信される、Ｃ９に記載のモバイル機器。
［Ｃ１１］
前記第１のメッセージ、前記第２のメッセージ及び前記第３のメッセージが同じＬＰＰトランザクションにおいて送信される、Ｃ１０に記載のモバイル機器。
［Ｃ１２］
前記早期位置調整についての前記要求が前記早期位置調整に関する応答時間を備える、Ｃ９に記載のモバイル機器。
［Ｃ１３］
記憶された機械可読命令を備える非一時的記憶媒体であって、前記機械可読命令は、専用計算装置によって、
位置サーバから受信された第１のメッセージを取得することと、ここにおいて、前記第１のメッセージが早期位置調整についての要求を備える、
前記第１のメッセージに応答して前記位置サーバへ前記早期位置調整に関する第１の位置パラメータを備える第２のメッセージの送信を開始することと、
前記第１のメッセージに応答して前記位置サーバへ最終位置調整に関する第２の位置パラメータを備える第３のメッセージの送信を開始することと
を行うように実行可能である、非一時的記憶媒体。
［Ｃ１４］
前記位置サーバが緊急セキュアユーザプレーン位置（ＳＵＰＬ）位置プラットフォーム（Ｅ−ＳＬＰ）を備える、Ｃ１３に記載の非一時的記憶媒体。
［Ｃ１５］
前記位置サーバが強化型サービングモバイルロケーションセンタ（Ｅ−ＳＭＬＣ）を備える、Ｃ１３に記載の非一時的記憶媒体。
［Ｃ１６］
前記第１の位置パラメータが、モバイル機器の第１の推定位置又は前記モバイル機器の位置を示す第１の測定値若しくはそれらの組合せを備え、前記第２の位置パラメータが、前記モバイル機器の第２の推定位置又は前記モバイル機器の前記位置を示す第２の測定値若しくはそれらの組合せを備える、Ｃ１３に記載の非一時的記憶媒体。
［Ｃ１７］
位置サービスをサポートするためのモバイル機器であって、
位置サーバから第１のメッセージを受信するための手段と、ここにおいて、前記第１のメッセージが早期位置調整についての要求を備え、
前記第１のメッセージに応答して前記位置サーバへ前記早期位置調整に関する第１の位置パラメータを備える第２のメッセージを送信するための手段と、
前記第１のメッセージに応答して前記位置サーバへ最終位置調整に関する第２の位置パラメータを備える第３のメッセージを送信するための手段と
を備えるモバイル機器。
［Ｃ１８］
前記第１のメッセージを受信するための前記手段が、第３世代パートナーシッププロジェクト（３ＧＰＰ）ロングタームエボリューション（ＬＴＥ）測位プロトコル（ＬＰＰ）に従って前記第１のメッセージを受信するための手段を備え、
前記第２のメッセージを送信するための前記手段が、前記第３世代パートナーシッププロジェクト（３ＧＰＰ）ロングタームエボリューション（ＬＴＥ）測位プロトコル（ＬＰＰ）に従って前記第２のメッセージを送信するための手段を備え、
前記第３のメッセージを送信するための前記手段が、前記第３世代パートナーシッププロジェクト（３ＧＰＰ）ロングタームエボリューション（ＬＴＥ）測位プロトコル（ＬＰＰ）に従って前記第３のメッセージを送信するための手段を備える、Ｃ１７に記載のモバイル機器。
［Ｃ１９］
前記第１のメッセージ、前記第２のメッセージ及び前記第３のメッセージが同じＬＰＰトランザクションに属する、Ｃ１８に記載のモバイル機器。
［Ｃ２０］
前記第１の位置パラメータが、前記モバイル機器の第１の推定位置又は前記モバイル機器の位置を示す第１の測定値若しくはそれらの任意の組合せを備え、前記第２の位置パラメータが、前記モバイル機器の第２の推定位置又は前記モバイル機器の前記位置を示す第２の測定値若しくはそれらの任意の組合せを備える、Ｃ１７に記載のモバイル機器。
［Ｃ２１］
１つ以上の緊急応答サービスをサポートするための位置サーバにおける方法であって、  位置要求を備えるモバイル機器へ第１のメッセージを送信することと、ここにおいて、前記第１のメッセージが第１の位置調整についての要求を備え、
前記モバイル機器から第２のメッセージを受信することと、前記第２のメッセージが前記第１の位置調整に関する第１の位置パラメータを備え、
前記モバイル機器から第３のメッセージを受信することと、前記第３のメッセージが第２の位置調整に関する第２の位置パラメータを備える、
を備える方法。
［Ｃ２２］
前記位置サーバが緊急セキュアユーザプレーン位置（ＳＵＰＬ）位置プラットフォーム（Ｅ−ＳＬＰ）を備える、Ｃ２１に記載の方法。
［Ｃ２３］
前記位置サーバが強化型サービングモバイルロケーションセンタ（Ｅ−ＳＭＬＣ）を備える、Ｃ２１に記載の方法。
［Ｃ２４］
モビリティ管理エンティティ（ＭＭＥ）から第４のメッセージと第５のメッセージとを受信することを更に備え、
前記第４のメッセージが、より高い精度を伴う位置についての要求を備え、
前記第５のメッセージが、より低い精度を伴う位置についての要求を備え、
前記第１のメッセージが、前記第４のメッセージ又は前記第５のメッセージの受信に応答して送信される、Ｃ２３に記載の方法。
［Ｃ２５］
前記ＭＭＥに第６のメッセージと第７のメッセージとを送信することを更に備え、
前記第６のメッセージが、前記第２のメッセージ又は前記第５のメッセージの受信に応答して送信され、前記第１の位置パラメータから少なくとも部分的に決定された前記第１の位置調整を備え、
前記第７のメッセージが、前記第３のメッセージ又は前記第４のメッセージに応答して送信され、前記第２の位置パラメータから少なくとも部分的に決定された前記第２の位置調整を備える、Ｃ２４に記載の方法。
［Ｃ２６］
モバイル機器識別子に基づいて前記モバイル機器に前記第４のメッセージと前記第５のメッセージとを関連付けることを更に備える、Ｃ２４に記載の方法。
［Ｃ２７］
前記モバイル機器識別子が国際モバイル加入者識別情報（ＩＭＳＩ）又は国際移動局機器識別情報（ＩＭＥＩ）を備える、Ｃ２６に記載の方法。
［Ｃ２８］
前記第１のメッセージが、モビリティ管理エンティティ（ＭＭＥ）からの第４のメッセージの受信に応答して送信され、前記方法が、
前記第２のメッセージの受信に応答して、前記ＭＭＥに第５のメッセージを送信することと、ここにおいて、前記第５のメッセージが、前記第１の位置パラメータから少なくとも部分的に決定された前記第１の位置調整を備え、
前記第３のメッセージの受信に応答して、前記ＭＭＥに第６のメッセージを送信することと、ここにおいて、前記第６のメッセージが、前記第２の位置パラメータから少なくとも部分的に決定された前記第２の位置調整を備える、
を更に備える、Ｃ２３に記載の方法。
［Ｃ２９］
前記第４のメッセージ、前記第５のメッセージ及び前記第６のメッセージが第３世代パートナーシッププロジェクト（３ＧＰＰ）位置サービスアプリケーションプロトコル（ＬＣＳ−ＡＰプロトコル）に従って提供される、Ｃ２８に記載の方法。
［Ｃ３０］
前記第４のメッセージ、前記第５のメッセージ及び前記第６のメッセージが同じＬＣＳ−ＡＰ手順に属する、Ｃ２９に記載の方法。
［Ｃ３１］
前記第５のメッセージがＬＣＳ−ＡＰ位置報告メッセージを備える、Ｃ３０に記載の方法。
［Ｃ３２］
前記第１の位置パラメータ及び前記第２の位置パラメータがそれぞれ、位置推定値又は位置測定値若しくはそれらの組合せを備える、Ｃ２１に記載の方法。
［Ｃ３３］
前記第１の位置調整についての前記要求が前記第１の位置調整に関する応答時間を備える、Ｃ２１に記載の方法。
［Ｃ３４］
前記第１のメッセージ、前記第２のメッセージ及び前記第３のメッセージが第３世代パートナーシッププロジェクト（３ＧＰＰ）ロングタームエボリューション（ＬＴＥ）測位プロトコル（ＬＰＰ）に従って送信される、Ｃ２１に記載の方法。
［Ｃ３５］
前記第１のメッセージ、前記第２のメッセージ及び前記第３のメッセージが同じＬＰＰトランザクションに属する、Ｃ３４に記載の方法。
［Ｃ３６］
１つ以上の緊急応答サービスをサポートするための位置サーバであって、
通信ネットワークにメッセージを送信し、前記通信ネットワークからメッセージを受信するためのトランシーバ機器と、
１つ以上のプロセッサと
を備え、前記１つ以上のプロセッサは、
モバイル機器へ前記トランシーバ機器を介して位置要求を備える第１のメッセージの送信を開始することと、ここにおいて、前記第１のメッセージが第１の位置調整についての要求を備え、
前記第１のメッセージに応答して送信され、前記モバイル機器から前記トランシーバ機器において受信された第２のメッセージを取得することと、前記第２のメッセージが前記第１の位置調整に関する第１の位置パラメータを備え、
前記第１のメッセージに応答して送信され、前記モバイル機器から前記トランシーバ機器において受信された第３のメッセージを取得することと、前記第３のメッセージが第２の位置調整に関する第２の位置パラメータを備える、
を行うように構成される、位置サーバ。
［Ｃ３７］
前記１つ以上のプロセッサが、
モビリティ管理エンティティ（ＭＭＥ）から前記トランシーバ機器において受信された第４のメッセージと第５のメッセージとを取得する
ように更に構成され、
前記第４のメッセージが、より高い精度を伴う位置についての要求を備え、
前記第５のメッセージが、より低い精度を伴う位置についての要求を備え、
前記第１のメッセージが、前記第４のメッセージ又は前記第５のメッセージの受信に応答して送信される、Ｃ３６に記載の位置サーバ。
［Ｃ３８］
前記１つ以上のプロセッサが、
前記ＭＭＥへの前記トランシーバ機器を介して第６のメッセージ及び第７のメッセージの送信を開始するように更に構成され、
前記第６のメッセージが、前記第２のメッセージ又は前記第５のメッセージの受信に応答して送信され、前記第１の位置パラメータから少なくとも部分的に決定された前記第１の位置調整を備え、
前記第７のメッセージが、前記第３のメッセージ又は前記第４のメッセージに応答して送信され、前記第２の位置パラメータから少なくとも部分的に決定された前記第２の位置調整を備える、Ｃ３７に記載の位置サーバ。
［Ｃ３９］
前記１つ以上のプロセッサが、モバイル機器識別子に基づいて前記モバイル機器に前記第４のメッセージと前記第５のメッセージとを関連付けるように更に構成される、Ｃ３７に記載の位置サーバ。
［Ｃ４０］
前記モバイル機器識別子が国際モバイル加入者識別情報（ＩＭＳＩ）又は国際移動局機器識別情報（ＩＭＥＩ）を備える、Ｃ３９に記載の位置サーバ。
［Ｃ４１］
記憶された機械可読命令を備える非一時的記憶媒体であって、前記機械可読命令は、位置サーバの専用コンピュータ装置によって、
位置要求を備えるモバイル機器への第１のメッセージの送信を開始することと、ここにおいて、前記第１のメッセージが第１の位置調整についての要求を備え、
前記第１のメッセージに応答して送信され、前記モバイル機器から受信された第２のメッセージを取得することと、前記第２のメッセージが前記第１の位置調整に関する第１の位置パラメータを備え、
前記第１のメッセージに応答して送信され、前記モバイル機器から受信された第３のメッセージを取得することと、前記第２のメッセージが第２の位置調整に関する第２の位置パラメータを備える、
を行うように実行可能であり、前記位置サーバは、もう１つの緊急応答サービスをサポートする、非一時的記憶媒体。
［Ｃ４２］
前記機械可読命令が、前記専用コンピュータ装置によって、
モビリティ管理エンティティ（ＭＭＥ）から受信された第４のメッセージと第５のメッセージとを取得するように更に実行可能であり、
前記第４のメッセージが、より高い精度を伴う位置についての要求を備え、
前記第５のメッセージが、より低い精度を伴う位置についての要求を備え、
前記第１のメッセージが、前記第４のメッセージ又は前記第５のメッセージの受信に応答して送信される、Ｃ４１に記載の非一時的記憶媒体。
［Ｃ４３］
前記機械可読命令が、前記専用コンピュータ装置によって、
前記ＭＭＥへの第６のメッセージ及び第７のメッセージの送信を開始するように更に実行可能であり、
前記第６のメッセージが、前記第２のメッセージ又は前記第５のメッセージの受信に応答して送信され、前記第１の位置パラメータから少なくとも部分的に決定された前記第１の位置調整を備え、
前記第７のメッセージが、前記第３のメッセージ又は前記第４のメッセージに応答して送信され、前記第２の位置パラメータから少なくとも部分的に決定された前記第２の位置調整を備える、Ｃ４２に記載の非一時的記憶媒体。
［Ｃ４４］
前記第４のメッセージ及び前記第５のメッセージが第３世代パートナーシッププロジェクト（３ＧＰＰ）位置サービスアプリケーションプロトコル（ＬＣＳ−ＡＰプロトコル）に従って提供される、Ｃ４２に記載の非一時的記憶媒体。
［Ｃ４５］
１つ以上の緊急応答サービスをサポートするための位置サーバであって、
モバイル機器へ位置要求を備える第１のメッセージを送信するための手段と、ここにおいて、前記第１のメッセージが第１の位置調整についての要求を備え、
前記第１のメッセージに応答して送信された前記モバイル機器からの第２のメッセージを受信するための手段と、前記第２のメッセージが前記第１の位置調整に関する第１の位置パラメータを備え、
前記第１のメッセージに応答して送信され、前記モバイル機器から第３のメッセージを受信するための手段と、前記第３のメッセージが第２の位置調整に関する第２の位置パラメータを備える、
を備える位置サーバ。
［Ｃ４６］
モビリティ管理エンティティ（ＭＭＥ）から第４のメッセージと第５のメッセージとを受信するための手段を更に備え、
前記第４のメッセージが、より高い精度を伴う位置についての要求を備え、
前記第５のメッセージが、より低い精度を伴う位置についての要求を備え、
前記第１のメッセージが、前記第４のメッセージ又は前記第５のメッセージの受信に応答して送信される、Ｃ４５に記載の位置サーバ。
［Ｃ４７］
前記ＭＭＥに第６のメッセージと第７のメッセージとを送信するための手段を更に備え、
前記第６のメッセージが、前記第２のメッセージ又は前記第５のメッセージの受信に応答して送信され、前記第１の位置パラメータから少なくとも部分的に決定された前記第１の位置調整を備え、
前記第７のメッセージが、前記第３のメッセージ又は前記第４のメッセージに応答して送信され、前記第２の位置パラメータから少なくとも部分的に決定された前記第２の位置調整を備える、Ｃ４６に記載の位置サーバ。
［Ｃ４８］
モバイル機器識別子に基づいて前記モバイル機器に前記第４のメッセージと前記第５のメッセージとを関連付けるための手段を更に備える、Ｃ４６に記載の位置サーバ。
［Ｃ４９］
前記モバイル機器識別子が国際モバイル加入者識別情報（ＩＭＳＩ）又は国際移動局機器識別情報（ＩＭＥＩ）を備える、Ｃ４８に記載の位置サーバ。
［Ｃ５０］
もう１つの緊急応答サービスをサポートするためのモビリティ管理エンティティ（ＭＭＥ）における方法であって、
ゲートウェイモバイル位置センタ（ＧＭＬＣ）から第１の位置要求メッセージを受信することと、前記第１の位置要求メッセージがモバイル機器の第１の位置パラメータについての要求を備え、
前記第１の位置要求メッセージに少なくとも部分的に基づいて、強化型サービングモバイルロケーションセンタ（Ｅ−ＳＭＬＣ）に第２の位置要求メッセージを送信することと、
前記ＧＭＬＣから第３の位置要求メッセージを受信することと、前記第３の位置要求メッセージが前記モバイル機器の第２の位置パラメータについての要求を備え、
前記第３の位置要求メッセージに少なくとも部分的に基づいて、前記Ｅ−ＳＭＬＣに第４の位置要求メッセージを送信することと、
前記第４の位置要求メッセージに応答して送信された前記Ｅ−ＳＭＬＣからの第１の位置応答メッセージを受信することと、ここにおいて、前記第１の位置応答メッセージが前記モバイル機器に関する早期位置調整の位置パラメータを備え、
前記ＧＭＬＣに前記早期位置調整を備える第２の位置応答メッセージを送信することと、前記早期位置調整が前記モバイル機器に関する前記早期位置調整の前記位置パラメータに少なくとも部分的に基づき、ここにおいて、前記第２の位置応答メッセージが前記第３の位置要求メッセージに応答して送信され、
前記第２の位置要求メッセージに応答して送信され、前記Ｅ−ＳＭＬＣから第３の位置応答メッセージを受信することと、ここにおいて、前記第３の位置応答メッセージが前記モバイル機器に関する最終位置調整の位置パラメータを備え、
前記ＧＭＬＣに前記最終位置調整を備える第４の位置応答メッセージを送信することと、前記最終位置調整が前記最終位置調整の前記位置パラメータに少なくとも部分的に基づき、ここにおいて、前記第４の位置応答メッセージが前記第１の位置要求メッセージに応答して送信される、
を備える方法。
［Ｃ５１］
もう１つの緊急応答サービスをサポートするためのモビリティ管理エンティティ（ＭＭＥ）であって、
通信ネットワークにメッセージを送信し、前記通信ネットワークからメッセージを受信するためのトランシーバ機器と、
１つ以上のプロセッサと
を備え、前記１つ以上のプロセッサは、
ゲートウェイモバイル位置センタ（ＧＭＬＣ）から前記トランシーバ機器において受信された第１の位置要求メッセージを取得することと、前記第１の位置要求メッセージがモバイル機器の第１の位置パラメータについての要求を備え、
前記第１の位置要求メッセージに少なくとも部分的に基づいて、強化型サービングモバイルロケーションセンタ（Ｅ−ＳＭＬＣ）への前記トランシーバ機器を介して第２の位置要求メッセージの送信を開始することと、
前記ＧＭＬＣから前記トランシーバ機器において受信された第３の位置要求メッセージを取得することと、前記第３の位置要求メッセージが前記モバイル機器の第２の位置パラメータについての要求を備え、
前記第３の位置要求メッセージに少なくとも部分的に基づいて、前記Ｅ−ＳＭＬＣへ前記トランシーバ機器を介して第４の位置要求メッセージの送信を開始することと、
前記第４の位置要求メッセージに応答して送信され、前記Ｅ−ＳＭＬＣから前記トランシーバ機器において受信された第１の位置応答メッセージを取得することと、ここにおいて、前記第１の位置応答メッセージが前記モバイル機器に関する早期位置調整の位置パラメータを備える、
前記ＧＭＬＣへ前記トランシーバ機器を介して前記早期位置調整を備える第２の位置応答メッセージの送信を開始することと、前記早期位置調整が前記モバイル機器に関する前記早期位置調整の前記位置パラメータに少なくとも部分的に基づき、ここにおいて、前記第２の位置応答メッセージが前記第３の位置要求メッセージに応答して送信され、
前記第２の位置要求メッセージに応答して送信され、前記Ｅ−ＳＭＬＣから前記トランシーバ機器において受信された第３の位置応答メッセージを取得することと、ここにおいて、前記第３の位置応答メッセージが前記モバイル機器に関する最終位置調整の位置パラメータを備え、
前記ＧＭＬＣへ前記トランシーバ機器を介して前記最終位置調整を備える第４の位置応答メッセージの送信を開始することと、前記最終位置調整が前記最終位置調整の前記位置パラメータに少なくとも部分的に基づき、ここにおいて、前記第４の位置応答メッセージが前記第１の位置要求メッセージに応答して送信される、
を行うように構成される、ＭＭＥ。
［Ｃ５２］
記憶されたコンピュータ可読命令を備える非一時的記憶媒体であって、前記コンピュータ可読命令は、モビリティ管理エンティティ（ＭＭＥ）の専用コンピュータ装置によって、
ゲートウェイモバイル位置センタ（ＧＭＬＣ）から受信された第１の位置要求メッセージを取得することと、前記第１の位置要求メッセージがモバイル機器の第１の位置パラメータについての要求を備え、
前記第１の位置要求メッセージに少なくとも部分的に基づいて、強化型サービングモバイルロケーションセンタ（Ｅ−ＳＭＬＣ）へ第２の位置要求メッセージの送信を開始することと、
前記ＧＭＬＣから受信された第３の位置要求メッセージを取得することと、前記第３の位置要求メッセージが前記モバイル機器の第２の位置パラメータについての要求を備え、  前記第３の位置要求メッセージに少なくとも部分的に基づいて、前記Ｅ−ＳＭＬＣへの第４の位置要求メッセージの送信を開始することと、
前記第４の位置要求メッセージに応答して送信された、前記Ｅ−ＳＭＬＣから受信された第１の位置応答メッセージを取得することと、ここにおいて、前記第１の位置応答メッセージが前記モバイル機器に関する早期位置調整の位置パラメータを備え、
前記ＧＭＬＣへ前記早期位置調整を備える第２の位置応答メッセージの送信を開始することと、前記早期位置調整が前記モバイル機器に関する前記早期位置調整の前記位置パラメータに少なくとも部分的に基づき、ここにおいて、前記第２の位置応答メッセージが前記第３の位置要求メッセージに応答して送信され、
前記第２の位置要求メッセージに応答して送信され、前記Ｅ−ＳＭＬＣから受信された第３の位置応答メッセージを取得することと、ここにおいて、前記第３の位置応答メッセージが前記モバイル機器に関する最終位置調整の位置パラメータを備え、
前記ＧＭＬＣへ前記最終位置調整を備える第４の位置応答メッセージの送信を開始することと、前記最終位置調整が前記最終位置調整の前記位置パラメータに少なくとも部分的に基づき、ここにおいて、前記第４の位置応答メッセージが前記第１の位置要求メッセージに応答して送信される、
を行うように実行可能であり、前記ＭＭＥは、もう１つの緊急応答サービスをサポートする、非一時的記憶媒体。
［Ｃ５３］
もう１つの緊急応答サービスをサポートするためのモビリティ管理エンティティ（ＭＭＥ）であって、
ゲートウェイモバイル位置センタ（ＧＭＬＣ）から第１の位置要求メッセージを受信するための手段と、前記第１の位置要求メッセージがモバイル機器の第１の位置パラメータについての要求を備え、
前記第１の位置要求メッセージに少なくとも部分的に基づいて、強化型サービングモバイルロケーションセンタ（Ｅ−ＳＭＬＣ）に第２の位置要求メッセージを送信するための手段と、
前記ＧＭＬＣから第３の位置要求メッセージを受信するための手段と、前記第３の位置要求メッセージが前記モバイル機器の第２の位置パラメータについての要求を備え、
前記第３の位置要求メッセージに少なくとも部分的に基づいて、前記Ｅ−ＳＭＬＣに第４の位置要求メッセージを送信するための手段と、
前記第４の位置要求メッセージに応答して送信された前記Ｅ−ＳＭＬＣからの第１の位置応答メッセージを受信するための手段と、ここにおいて、前記第１の位置応答メッセージが前記モバイル機器に関する早期位置調整の位置パラメータを備え、
前記ＧＭＬＣに前記早期位置調整を備える第２の位置応答メッセージを送信するための手段と、前記早期位置調整が前記モバイル機器に関する前記早期位置調整の前記位置パラメータに少なくとも部分的に基づき、ここにおいて、前記第２の位置応答メッセージが前記第３の位置要求メッセージに応答して送信され、
前記第２の位置要求メッセージに応答して送信され、前記Ｅ−ＳＭＬＣから第３の位置応答メッセージを受信するための手段と、ここにおいて、前記第３の位置応答メッセージが前記モバイル機器に関する最終位置調整の位置パラメータを備え、
前記ＧＭＬＣに前記最終位置調整を備える第４の位置応答メッセージを送信するための手段と、前記最終位置調整が前記最終位置調整の前記位置パラメータに少なくとも部分的に基づき、ここにおいて、前記第４の位置応答メッセージが前記第１の位置要求メッセージに応答して送信される、
を備えるＭＭＥ。
［Ｃ５４］
モビリティ管理エンティティ（ＭＭＥ）においてモバイル機器の位置をサポートするための方法であって、
ゲートウェイモバイル位置センタ（ＧＭＬＣ）から第１の位置要求メッセージを受信することと、前記第１の位置要求メッセージが前記モバイル機器の第１の位置パラメータについての要求を備え、
強化型サービングモバイルロケーションセンタ（Ｅ−ＳＭＬＣ）に第２の位置要求メッセージを送信することと、
前記ＧＭＬＣから第３の位置要求メッセージを受信することと、前記第３の位置要求メッセージが前記モバイル機器の第２の位置パラメータについての要求を備え、
前記第３の位置要求メッセージに少なくとも部分的に基づいて、前記Ｅ−ＳＭＬＣに第４の位置要求メッセージを送信することと、
前記第４の位置要求メッセージに応答して送信され、前記Ｅ−ＳＭＬＣから第１の位置応答メッセージを受信することと、ここにおいて、前記第１の位置応答メッセージが前記モバイル機器に関する早期位置調整の位置パラメータを備え、
前記ＧＭＬＣに前記早期位置調整を備える第２の位置応答メッセージを送信することと、前記早期位置調整が前記モバイル機器に関する前記早期位置調整の前記位置パラメータに少なくとも部分的に基づき、ここにおいて、前記第２の位置応答メッセージが前記第３の位置要求メッセージに応答して送信され、
前記第２の位置要求メッセージに応答して送信され、前記Ｅ−ＳＭＬＣから第３の位置応答メッセージを受信することと、ここにおいて、前記第３の位置応答メッセージが前記モバイル機器に関する最終位置調整の位置パラメータを備え、
前記ＧＭＬＣに前記最終位置調整を備える第４の位置応答メッセージを送信することと、前記最終位置調整が前記最終位置調整の前記位置パラメータに少なくとも部分的に基づき、ここにおいて、前記第４の位置応答メッセージが前記第１の位置要求メッセージに応答して送信される、
を備える方法。
［Ｃ５５］
前記第２の位置要求メッセージ、前記第４の位置要求メッセージ、前記第１の位置応答メッセージ及び前記第３の位置応答メッセージが３ＧＰＰ  ＬＣＳアプリケーションプロトコル（ＬＣＳ−ＡＰ）プロトコルに従って送信され、同じＬＣＳ−ＡＰ手順に属する、Ｃ５４に記載の方法。
［Ｃ５６］
前記第１の位置要求メッセージ、前記第３の位置要求メッセージ、前記第２の位置応答メッセージ及び前記第４の位置応答メッセージが３ＧＰＰ発展型パケットコア位置サービスプロトコル（ＥＬＰ）プロトコルに従って送信される、Ｃ５４に記載の方法。
［Ｃ５７］
通信ネットワークにメッセージを送信し、前記通信ネットワークからメッセージを受信するためのトランシーバ機器と、
１つ以上のプロセッサと
を備え、前記１つ以上のプロセッサは、
ゲートウェイモバイル位置センタ（ＧＭＬＣ）から前記トランシーバ機器において受信された第１の位置要求メッセージを取得することと、前記第１の位置要求メッセージがモバイル機器の第１の位置パラメータについての要求を備え、
前記第１の位置要求メッセージに少なくとも部分的に基づいて、強化型サービングモバイルロケーションセンタ（Ｅ−ＳＭＬＣ）への前記トランシーバ機器を介して第２の位置要求メッセージの送信を開始することと、
前記ＧＭＬＣから前記トランシーバ機器において受信された第３の位置要求メッセージを取得することと、前記第３の位置要求メッセージが前記モバイル機器の第２の位置パラメータについての要求を備え、
前記第３の位置要求メッセージに少なくとも部分的に基づいて、前記Ｅ−ＳＭＬＣへ前記トランシーバ機器を介して第４の位置要求メッセージの送信を開始することと、
前記第４の位置要求メッセージに応答して送信され、前記Ｅ−ＳＭＬＣから前記トランシーバ機器において受信された第１の位置応答メッセージを取得することと、ここにおいて、前記第１の位置応答メッセージが前記モバイル機器に関する早期位置調整の位置パラメータを備え、
前記ＧＭＬＣへ前記早期位置調整を備える第２の位置応答メッセージの送信を開始することと、前記早期位置調整が前記モバイル機器に関する前記早期位置調整の前記位置パラメータに少なくとも部分的に基づき、ここにおいて、前記第２の位置応答メッセージが前記第３の位置要求メッセージに応答して送信され、
前記第２の位置要求メッセージに応答して送信され、前記Ｅ−ＳＭＬＣから前記トランシーバ機器において受信された第３の位置応答メッセージを取得することと、ここにおいて、前記第２の位置応答メッセージが前記モバイル機器に関する最終位置調整の位置パラメータを備え、
前記ＧＭＬＣへ前記トランシーバ機器を介して前記最終位置調整を備える第４の位置応答メッセージの送信を開始することと、前記最終位置調整が前記最終位置調整の前記位置パラメータに少なくとも部分的に基づき、ここにおいて、前記第４の位置応答メッセージが前記第１の位置要求メッセージに応答して送信される、
を行うように構成される、モビリティ管理エンティティ（ＭＭＥ）。
［Ｃ５８］
前記第２の位置要求メッセージ、前記第４の位置要求メッセージ、前記第１の位置応答メッセージ及び前記第３の位置応答メッセージが３ＧＰＰ  ＬＣＳアプリケーションプロトコル（ＬＣＳ−ＡＰ）プロトコルに従って送信され、同じＬＣＳ−ＡＰ手順に属する、Ｃ５７に記載のＭＭＥ。
［Ｃ５９］
前記第１の位置要求メッセージ、前記第３の位置要求メッセージ、前記第２の位置応答メッセージ及び前記第４の位置応答メッセージが３ＧＰＰ発展型パケットコア位置サービスプロトコル（ＥＬＰ）プロトコルに従って送信される、Ｃ５７に記載のＭＭＥ。
［Ｃ６０］
記憶された機械可読命令を備える非一時的記憶媒体であって、前記機械可読命令は、モビリティ管理エンティティ（ＭＭＥ）の専用コンピュータ装置によって、
ゲートウェイモバイル位置センタ（ＧＭＬＣ）から受信された第１の位置要求メッセージを取得することと、前記第１の位置要求メッセージがモバイル機器の第１の位置パラメータについての要求を備え、
前記第１の位置要求メッセージに少なくとも部分的に基づいて、強化型サービングモバイルロケーションセンタ（Ｅ−ＳＭＬＣ）へ第２の位置要求メッセージの送信を開始することと、
前記ＧＭＬＣから受信された第３の位置要求メッセージを取得することと、前記第３の位置要求メッセージが前記モバイル機器の第２の位置パラメータについての要求を備え、  前記第３の位置要求メッセージに少なくとも部分的に基づいて、前記Ｅ−ＳＭＬＣへ第４の位置要求メッセージの送信を開始することと、
前記第４の位置要求メッセージに応答して送信され、前記Ｅ−ＳＭＬＣから受信された第１の位置応答メッセージを取得することと、ここにおいて、前記第１の位置応答メッセージが前記モバイル機器に関する早期位置調整の位置パラメータを備え、
前記ＧＭＬＣへの早期位置調整を備える第２の位置応答メッセージの送信を開始することと、前記早期位置調整が前記モバイル機器に関する前記早期位置調整の前記位置パラメータに少なくとも部分的に基づき、ここにおいて、前記第２の位置応答メッセージが前記第３の位置要求メッセージに応答して送信され、
前記第２の位置要求メッセージに応答して送信され、前記Ｅ−ＳＭＬＣから受信された第３の位置応答メッセージを取得することと、ここにおいて、前記第３の位置応答メッセージが前記モバイル機器に関する最終位置調整の位置パラメータを備え、
前記ＧＭＬＣへ前記最終位置調整を備える第４の位置応答メッセージの送信を開始することと、前記最終位置調整が前記最終位置調整の前記位置パラメータに少なくとも部分的に基づき、ここにおいて、前記第４の位置応答メッセージが前記第１の位置要求メッセージに応答して送信される、
を行うように実行可能である、非一時的記憶媒体。
［Ｃ６１］
前記第２の位置要求メッセージ、前記第４の位置要求メッセージ、前記第１の位置応答メッセージ及び前記第３の位置応答メッセージが３ＧＰＰ  ＬＣＳアプリケーションプロトコル（ＬＣＳ−ＡＰ）プロトコルに従って送信され、同じＬＣＳ−ＡＰ手順に属する、Ｃ６０に記載の非一時的記憶媒体。
［Ｃ６２］
前記第１の位置要求メッセージ、前記第３の位置要求メッセージ、前記第２の位置応答メッセージ及び前記第４の位置応答メッセージが３ＧＰＰ発展型パケットコア位置サービスプロトコル（ＥＬＰ）プロトコルに従って送信される、Ｃ６０に記載の非一時的記憶媒体。
［Ｃ６３］
ゲートウェイモバイル位置センタ（ＧＭＬＣ）から第１の位置要求メッセージを受信するための手段と、前記第１の位置要求メッセージが前記第１の位置要求メッセージに少なくとも部分的に基づくモバイル機器の第１の位置パラメータについての要求を備え、
強化型サービングモバイルロケーションセンタ（Ｅ−ＳＭＬＣ）に第２の位置要求メッセージを送信するための手段と、
前記ＧＭＬＣから第３の位置要求メッセージを受信するための手段と、前記第３の位置要求メッセージが前記モバイル機器の第２の位置パラメータについての要求を備え、
前記第３の位置要求メッセージに少なくとも部分的に基づいて、前記Ｅ−ＳＭＬＣに第４の位置要求メッセージを送信するための手段と、
前記第４の位置要求メッセージに応答して送信され、前記Ｅ−ＳＭＬＣから第１の位置応答メッセージを受信するための手段と、ここにおいて、前記第１の位置応答メッセージが前記モバイル機器に関する早期位置調整の位置パラメータを備え、
前記ＧＭＬＣに前記早期位置調整を備える第２の位置応答メッセージを送信するための手段と、前記早期位置調整が前記モバイル機器に関する前記早期位置調整の前記位置パラメータに少なくとも部分的に基づき、ここにおいて、前記第２の位置応答メッセージが前記第３の位置要求メッセージに応答して送信される、
前記第２の位置要求メッセージに応答して送信された前記Ｅ−ＳＭＬＣからの第３の位置応答メッセージを受信するための手段と、ここにおいて、前記第３の位置応答メッセージが前記モバイル機器に関する最終位置調整の位置パラメータを備え、
前記ＧＭＬＣに前記最終位置調整を備える第４の位置応答メッセージを送信するための手段と、前記最終位置調整が前記最終位置調整の前記位置パラメータに少なくとも部分的に基づき、ここにおいて、前記第４の位置応答メッセージが前記第１の位置要求メッセージに応答して送信される、
を備えるモビリティ管理エンティティ（ＭＭＥ）。
［Ｃ６４］
前記第２の位置要求メッセージを送信するための前記手段が、３ＧＰＰ  ＬＣＳアプリケーションプロトコル（ＬＣＳ−ＡＰ）プロトコルに従って前記第２の位置要求メッセージを送信するための手段を備え、前記第１の位置応答メッセージを受信するための前記手段が、前記３ＧＰＰ  ＬＣＳアプリケーションプロトコル（ＬＣＳ−ＡＰ）プロトコルに従って前記第１の位置応答メッセージを受信するための手段を備え、前記第４の位置要求メッセージを送信するための前記手段が、前記３ＧＰＰ  ＬＣＳアプリケーションプロトコル（ＬＣＳ−ＡＰ）プロトコルに従って前記第４の位置要求メッセージを送信するための手段を備え、前記第３の位置応答メッセージを受信するための前記手段が、前記３ＧＰＰ  ＬＣＳアプリケーションプロトコル（ＬＣＳ−ＡＰ）プロトコルに従って前記第３の位置応答メッセージを受信するための手段を備える、Ｃ６３に記載のＭＭＥ。
［Ｃ６５］
前記第１の位置要求メッセージを受信するための前記手段が、３ＧＰＰ発展型パケットコア位置サービスプロトコル（ＥＬＰ）プロトコルに従って前記第１の位置要求メッセージを受信するための手段を備え、前記第２の位置応答メッセージを送信するための前記手段が、前記３ＧＰＰ発展型パケットコア位置サービスプロトコル（ＥＬＰ）プロトコルに従って前記第２の位置応答メッセージを送信するための手段を備え、前記第３の位置要求メッセージを受信するための前記手段が、前記３ＧＰＰ発展型パケットコア位置サービスプロトコル（ＥＬＰ）プロトコルに従って前記第３の位置要求メッセージを受信するための手段を備え、前記第４の位置応答メッセージを送信するための前記手段が、前記３ＧＰＰ発展型パケットコア位置サービスプロトコル（ＥＬＰ）プロトコルに従って前記第４の位置応答メッセージを送信するための手段を備える、Ｃ６３に記載のＭＭＥ。
［Ｃ６６］
ゲートウェイモバイル位置センタ（ＧＭＬＣ）における方法であって、
緊急サービスに関連してモバイル機器の位置についての要求を受信することと、
モビリティ管理エンティティ（ＭＭＥ）に第１の位置要求メッセージを送信することと、前記第１の位置要求メッセージが前記モバイル機器の前記位置についての要求を備え、高い精度又は高い遅延に対する許容度若しくはそれらの組合せを指定し、
前記ＭＭＥに第２の位置要求メッセージを送信することと、前記第２の位置要求メッセージが前記モバイル機器の前記位置についての要求を備え、低い精度又は低い遅延若しくはそれらの組合せを指定し、
前記第２の位置要求メッセージに応答して前記ＭＭＥからの第１の位置応答メッセージを受信することと、前記第１の位置応答メッセージが前記モバイル機器に関する早期位置調整を備え、
前記第１の位置要求メッセージに応答して前記ＭＭＥからの第２の位置応答メッセージを受信することと、前記第２の位置応答メッセージが前記モバイル機器に関する最終位置調整を備える、
を備える方法。
［Ｃ６７］
前記第１の位置要求メッセージ及び前記第２の位置要求メッセージ並びに前記第１の位置応答メッセージ及び前記第２の位置応答メッセージが３ＧＰＰ発展型パケットコア位置サービスプロトコル（ＥＬＰ）プロトコルに従って送信される、Ｃ６６に記載の方法。
［Ｃ６８］
前記第２の位置要求メッセージが、前記第１の位置要求メッセージの送信から所定持続時間後に送信される、Ｃ６７に記載の方法。
［Ｃ６９］
通信ネットワークにメッセージを送信し、前記通信ネットワークからメッセージを受信するためのトランシーバ機器と、
１つ以上のプロセッサと
を備え、前記１つ以上のプロセッサは、
緊急サービスに関連してモバイル機器の位置についての要求を取得することと、
モビリティ管理エンティティ（ＭＭＥ）へ前記トランシーバ機器を介して第１の位置要求メッセージの送信を開始することと、前記第１の位置要求メッセージが前記モバイル機器の前記位置についての要求を備え、高い精度又は高い遅延に対する許容度若しくはそれらの組合せを指定し、
前記ＭＭＥへ前記トランシーバ機器を介して第２の位置要求メッセージの送信を開始することと、前記第２の位置要求メッセージが前記モバイル機器の前記位置についての要求を備え、低い精度又は低い遅延若しくはそれらの組合せを指定し、
前記第２の位置要求メッセージに応答して前記ＭＭＥから送信された第１の位置応答メッセージを取得することと、前記第１の位置応答メッセージが前記モバイル機器に関する早期位置調整を備え、
前記第１の位置要求メッセージに応答して前記ＭＭＥから送信された第２の位置応答メッセージを取得することと、前記第２の位置応答メッセージが前記モバイル機器に関する最終位置調整を備える、
を行うように構成される、ゲートウェイモバイル位置センタ（ＧＭＬＣ）。
［Ｃ７０］
前記第１の位置要求メッセージの送信及び前記第２の位置要求メッセージの送信並びに前記第１の位置応答メッセージを前記取得すること及び前記第２の位置応答メッセージを前記取得することが３ＧＰＰ発展型パケットコア位置サービスプロトコル（ＥＬＰ）プロトコルに従ったものである、Ｃ６９に記載のＧＭＬＣ。
［Ｃ７１］
前記第２の位置要求メッセージの前記送信が、前記第１の位置要求メッセージの前記送信から所定持続時間後に行われる、Ｃ７０に記載のＧＭＬＣ。
［Ｃ７２］
記憶された機械可読命令を備える非一時的記憶媒体であって、前記機械可読命令は、ゲートウェイモバイル位置センタ（ＧＭＬＣ）の１つ以上のプロセッサによって、
緊急サービスに関連してモバイル機器の位置についての要求を受信することと、
モビリティ管理エンティティ（ＭＭＥ）へ第１の位置要求メッセージの送信を開始することと、前記第１の位置要求メッセージが前記モバイル機器の前記位置についての要求を備え、高い精度又は高い遅延に対する許容度若しくはそれらの組合せを指定し、
前記ＭＭＥへの第２の位置要求メッセージの送信を開始することと、前記第２の位置要求メッセージが前記モバイル機器の前記位置についての要求を備え、低い精度又は低い遅延若しくはそれらの組合せを指定し、
前記第２の位置要求メッセージに応答して前記ＭＭＥから送信された第１の位置応答メッセージを取得することと、前記第１の位置応答メッセージが前記モバイル機器に関する早期位置調整を備え、
前記第１の位置要求メッセージに応答して前記ＭＭＥから送信された第２の位置応答メッセージを取得することと、前記第２の位置応答メッセージが前記モバイル機器に関する最終位置調整を備える、
を行うように実行可能である、非一時的記憶媒体。
［Ｃ７３］
前記第１の位置要求メッセージ及び前記第２の位置要求メッセージ並びに前記第１の位置応答メッセージ及び前記第２の位置応答メッセージが３ＧＰＰ発展型パケットコア位置サービスプロトコル（ＥＬＰ）プロトコルに従って送信される、Ｃ７２に記載の非一時的記憶媒体。
［Ｃ７４］
前記第２の位置要求メッセージが、前記第１の位置要求メッセージの送信から所定持続時間後に送信される、Ｃ７３に記載の非一時的記憶媒体。
［Ｃ７５］
緊急サービスに関連してモバイル機器の位置についての要求を受信するための手段と、  モビリティ管理エンティティ（ＭＭＥ）に第１の位置要求メッセージを送信するための手段と、前記第１の位置要求メッセージが前記モバイル機器の前記位置についての要求を備え、高い精度又は高い遅延に対する許容度若しくはそれらの組合せを指定し、
前記ＭＭＥに第２の位置要求メッセージを送信するための手段と、前記第２の位置要求メッセージが前記モバイル機器の前記位置についての要求を備え、低い精度又は低い遅延若しくはそれらの組合せを指定し、
前記第２の位置要求メッセージに応答して前記ＭＭＥから第１の位置応答メッセージを受信するための手段と、前記第１の位置応答メッセージが前記モバイル機器に関する早期位置調整を備え、
前記第１の位置要求メッセージに応答して前記ＭＭＥから第２の位置応答メッセージを受信するための手段と、前記第２の位置応答メッセージが前記モバイル機器に関する最終位置調整を備える、
を備えるゲートウェイモバイル位置センタ（ＧＭＬＣ）。
［Ｃ７６］
前記第１の位置要求メッセージを送信するための前記手段が、３ＧＰＰ発展型パケットコア位置サービスプロトコル（ＥＬＰ）プロトコルに従って前記第１の位置要求メッセージを送信するための手段を備え、前記第２の位置要求メッセージを送信するための前記手段が、前記３ＧＰＰ発展型パケットコア位置サービスプロトコル（ＥＬＰ）プロトコルに従って前記第２の位置要求メッセージを送信するための手段を備え、前記第１の位置応答メッセージを受信するための前記手段が、前記３ＧＰＰ発展型パケットコア位置サービスプロトコル（ＥＬＰ）プロトコルに従って前記第１の位置応答メッセージを受信するための手段を備え、前記第２の位置応答メッセージを受信するための前記手段が、前記３ＧＰＰ発展型パケットコア位置サービスプロトコル（ＥＬＰ）プロトコルに従って前記第２の位置応答メッセージを受信するための手段を備える、Ｃ７５に記載のＧＭＬＣ。
［Ｃ７７］
前記第２の位置要求メッセージが、前記第１の位置要求メッセージの送信から所定持続時間後に送信される、Ｃ７６に記載のＧＭＬＣ。